(57)【要約】【課題】  この発明は、ホワイトボードに描画された画像を、見やすい形式に変換してホワイトボードに再描画することができるホワイトボート装置を提供することを目的とする。【解決手段】  ホワイトボード上に描画された画像を読み取る読取手段、読取手段によって読み取られた画像に対して、所定の画像処理を施す画像処理手段、ホワイトボード上に描画された画像を消去するための消去手段、および画像処理手段によって得られた画像をホワイトボード上に書き込む書込手段を備えている。【選択図】  図１
2005238743.tif 000002
【特許請求の範囲】
【請求項１】
ホワイトボード上に描画された画像を読み取る読取手段、
読取手段によって読み取られた画像に対して、所定の画像処理を施す画像処理手段、
ホワイトボード上に描画された画像を消去するための消去手段、および
画像処理手段によって得られた画像をホワイトボード上に書き込む書込手段、
を備えていることを特徴とするホワイトボード装置。
【請求項２】
画像処理手段は、読取手段によって読み取られた画像に対して濃度を高くするための処理を行うものであることを特徴とする請求項１に記載のホワイトボード装置。
【請求項３】
画像処理手段は、読取手段によって読み取られた画像に対して拡大処理を行うものであることを特徴とする請求項１に記載のホワイトボード装置。
【請求項４】
画像処理手段は、読取手段によって読み取られた画像に対して文字認識処理を行って、文字部分をテキストデータに変換する手段、および得られたテキストデータをフォントデータに変換する手段を備えていることを特徴とする請求項１に記載のホワイトボード装置。
【請求項５】
ホワイトボードとして無端ベルト状のホワイトボードが用いられており、ホワイトボードが１周される間に、読取手段、画像処理手段、消去手段および書込手段による処理が行われることを特徴とする請求項１、２、３および４のいずれかに記載のホワイトボード装置。
【発明の詳細な説明】
【技術分野】
【０００１】
この発明は、ホワイトボード装置に関する。
【背景技術】
【０００２】
ホワイトボード上に描画された画像を読み取って、記録紙に記録する機能を備えたホワイトボード装置が知られている。ホワイトボードには、手書きで文字等が描画されるため、薄くて見にくかったり、文字が小さすぎて見にくかったり、字体が乱れて見にくかったりすることがある。
【特許文献１】特開２０００−１２７６８４号公報
【特許文献２】特開２００３−３２４０７号公報
【発明の開示】
【発明が解決しようとする課題】
【０００３】
この発明は、ホワイトボードに描画された画像を、見やすい形式に変換してホワイトボードに再描画することができるホワイトボード装置を提供することを目的とする。
【課題を解決するための手段】
【０００４】
請求項１に記載の発明は、ホワイトボード上に描画された画像を読み取る読取手段、読取手段によって読み取られた画像に対して、所定の画像処理を施す画像処理手段、ホワイトボード上に描画された画像を消去するための消去手段、および画像処理手段によって得られた画像をホワイトボード上に書き込む書込手段を備えていることを特徴とする。
【０００５】
請求項２に記載の発明は、請求項１に記載の発明において、画像処理手段は、読取手段によって読み取られた画像に対して濃度を高くするための処理を行うものであることを特徴とする。
【０００６】
請求項３に記載の発明は、請求項１に記載の発明において、画像処理手段は、読取手段によって読み取られた画像に対して拡大処理を行うものであることを特徴とする。
請求項４に記載の発明は、請求項１に記載の発明において、画像処理手段は、読取手段によって読み取られた画像に対して文字認識処理を行って文字部分をテキストデータに変換する手段、および得られたテキストデータをフォントデータに変換する手段を備えていることを特徴とする。
【０００７】
請求項５に記載の発明は、請求項１に記載の発明において、ホワイトボードとして無端ベルト状のホワイトボードが用いられており、ホワイトボードが１周される間に、読取手段、画像処理手段、消去手段および書込手段による処理が行われることを特徴とする請求項１、２、３および４のいずれかに記載のホワイトボード装置。
【発明の効果】
【０００８】
この発明によれば、ホワイトボードに描画された画像を、見やすい形式に変換してホワイトボードに再描画することができるようになる。
【発明を実施するための最良の形態】
【０００９】
以下、図面を参照して、この発明をベルト式ホワイトボード装置に適用した場合の実施例について説明する。
【実施例１】
【００１０】
図１は、ベルト式ホワイトボード装置の概略構成を示している。
【００１１】
前方に開口部を備えたフレーム１内に、無端ベルト状のホワイトボード２が配置されている。ホワイトボード２は、走行駆動装置１５（図２参照）によって走行可能となっている。図１において、フレーム１の開口部に臨んでいる面（前面）が書き込み面となっている。
【００１２】
ホワイトボード２の前面の右端部の前側には、ホワイトボード２上に描画された画像を読み取るための画像読取部（スキャナ部）１１が配置されている。ホワイトボード２の後面の右端部の後側には、ホワイトボード２上に描画された画像を消去するための画像消去部２０が配置されている。この画像消去部２０は、ホワイトボード２に対して圧接した作動位置と離間した非作動位置との間を移動可能に設けられており、画像消去部移動機構によって、作動位置または非作動位置に移動せしめられる。ホワイトボード２が走行されている状態において、画像消去部２０が作動位置に位置せしめらると、ホワイトボード２上の画像が画像消去部２０によって消去せしめられる。
【００１３】
ホワイトボード２の後面の左端部の後側には、画像読取部１１によって読み取られた画像に対して、後述する画像処理部１２（図２参照）によって所定の画像処理が施された後の画像をホワイトボード２上に書き込むための画像書込部１３が配置されている。画像書込部１３としては、例えば、インクジェット式印字装置が用いられる。
【００１４】
図２は、ベルト式ホワイトボード装置の電気的構成を示している。
【００１５】
ベルト式ホワイトボード装置は、制御部１０を備えている。制御部１０には、操作部１４、画像消去装置移動機構の駆動装置２１、走行駆動装置１５、画像読取部１１、画像処理部１２および画像書込部１３が接続されている。
【００１６】
このベルト式ホワイトボード装置は、ホワイトボード上に描画された画像を、見やすい形式に変換してホワイトボードに再描画する清書機能を備えている。
【００１７】
図３は、清書機能を実行する際のベルト式ホワイトボード装置の動作を示している。
【００１８】
ホワイトボードの前面には、文字を含む画像が手書きで描画されているものとする。清書機能を実行する際には、ユーザは、操作部１４を操作して、清書実行指令を入力する。      
【００１９】
清書実行指令が入力されると（ステップＳ１）、走行駆動装置１５によってホワイトボード２が図１の矢印の方向に走行せしめられる（ステップＳ２）。そして、画像読取部１１による画像の読み取り処理が開始せしめられる（ステップＳ３）。画像読取部１１は、ホワイトボード２の上記書き込み面に描画されている画像を読み取る。画像読取部１１によって読み取られた画像は、画像処理部１２内のメモリに蓄積される。また、画像消去部２０が作動位置に移動せしめられる（ステップＳ４）。これにより、画像消去部２０によって、ホワイトボード２の上記書き込み面に描画されている画像が消去される。
【００２０】
画像の読み取りが終了すると、画像処理部１２による画像処理が行われる（ステップＳ５）。つまり、画像処理部１２は、読み取られた画像に対して文字認識処理を行って、文字部分をテキストデータに変換した後、得られたテキストデータをフォントデータ（イメージデータ）に変換する。画像処理部１２によって得られたフォントデータは、画像書込部１３に与えられる。画像書込部１３は、画像処理部１２から与えられたフォントデータを、ホワイトボード２の上記画像書き込み面に書き込む（ステップＳ６）。
【００２１】
なお、画像書込部１３による画像書き込みが終了した後、上記画像書き込み面がフレーム１の開口部に臨む位置にきたときに、走行駆動装置１５によるホワイトボード２の走行が停止せしめられる（ステップＳ７）。つまり、ホワイトボード２が１周する間に、画像読取部１１による画像読取処理、画像消去部２０による画像消去処理、画像処理部１２による画像処理および画像書込部１３による画像書込処理が行われる。そして、ホワイトボード２が１周すると、走行駆動装置１５によるホワイトボード２の走行が停止せしめられる。
【００２２】
上記実施例では、画像処理部１２は、読み取られた画像に対して文字認識処理を行って、文字部分をテキストデータに変換した後、得られたテキストデータをフォントデータに変換するといった処理を行っているので、ホワイトボード２に手書きで描画された文字が、清書されてホワイトボード２に再描画されることなる。このため、再描画された文字は見やすくなる。
【００２３】
なお、画像処理部１２として、画像読取部１１によって読み取られた画像に対して、濃度を高くするための処理を行うものを用いてもよい。この場合、操作部１４を用いて、ユーザがどの程度濃度を高くするかを示す度合いを設定できるようにしてもよい。
【００２４】
また、画像処理部１２として、画像読取部１１によって読み取られた画像に対して、拡大処理を行うものを用いてもよい。この場合、操作部１４を用いて、ユーザが拡大部分と拡大率を設定できるようにしてもよい。
【図面の簡単な説明】
【００２５】
【図１】ベルト式ホワイトボード装置の概略構成を示す構成図（水平断面図）である。
【図２】ベルト式ホワイトボード装置の電気的構成を示すブロック図である。
【図３】清書機能を実行する際のベルト式ホワイトボード装置の動作を示すフローチャートである。
【符号の説明】
【００２６】
１  フレーム
２  ホワイトボード
１０  制御部
１１  画像読取部
１２  画像処理部
１３  画像書込部
１４  操作部                                                                    １５  走行駆動装置
２０  画像消去部
２１  画像消去部移動機構の駆動装置
【図１】
2005238743.tif 000003
【図２】
2005238743.tif 000004
【図３】
2005238743.tif 000005